(57)【特許請求の範囲】
【請求項１】
２種類のコンタクトと、前記コンタクトを保持するハウジングと、接続対象物を前記コンタクトに圧接させるための開閉可能な加圧部材とを有し、
前記２種類のコンタクトで前記加圧部材を挟持し、
前記コンタクトの各々は上腕部と下腕部とを有し、
前記加圧部材はカムと係止部とを有し、
前記コンタクトの各々の下腕部は前記接続対象物に接触するための接触部を有し、
前記２種類のうち一方の種類のコンタクトの上腕部は、前記カムを受け入れた凹部を有し、
前記２種類のうち他方の種類のコンタクトの上腕部は、前記係止部のストッパーとして働く突起を有し、
前記他方の種類のコンタクトの上腕部が前記係止部を受けることで、前記カムが前記凹部から外れるのを防止し、
前記加圧部材の開の状態及び閉の状態の各々において、外力が前記加圧部材に働いたとき、前記係止部が前記突起に引っ掛かり、
前記カムが前記凹部に受け入れられている上に、前記係止部が前記突起に引っ掛かることにより、前記加圧部材の離脱を阻止することを特徴とするコネクタ。
【請求項２】
前記他方の種類のコンタクトの上腕部は直線部を有し、前記直線部と前記突起との両方で、前記凹部から前記カムの外れを防止することを特徴とする請求項１に記載のコネクタ。
【請求項３】
前記接続対象物が未装着の状態において、前記加圧部材は、開の状態にあるとき前記直線部の前記突起から見た一側部分により開方向の動きを係止され、閉の状態にあるとき前記直線部の前記突起から見た他側部分により閉方向の動きを係止されることを特徴とする、請求項２に記載のコネクタ。
【請求項４】
前記加圧部材が開の状態にあるとき及び閉の状態にあるときの各々において前記係止部が前記直線部に突き当ることで、前記加圧部材の開閉を制限する、ことを特徴とする請求項２又は３に記載のコネクタ。
【請求項５】
絶縁性のハウジング、前記ハウジングに保持された第１及び第２のコンタクト、及び接続対象物を前記第１及び第２のコンタクトに接触させるための可動な加圧部材を含み、
前記２種類のコンタクトで前記加圧部材を挟持し、
前記第１及び第２のコンタクトの各々は、前記接続対象物を配置するための配置領域の両側に位置する上腕部及び下腕部を含み、
前記加圧部材は、前記第１のコンタクトの上腕部に係合した回動可能なカムと、前記第２のコンタクトの上腕部の端部に対向した係止部とを含み、
前記第１及び第２のコンタクトの各々の下腕部は、前記接続対象物に接触するための接触部を含み、
前記第１のコンタクトの上腕部の端部に、前記カムを受け入れた凹部を設け、
前記第２のコンタクトの上腕部の端部に、前記係止部に対向する直線部と、前記直線部から前記凹部の向きとは反対向きに突出した突起とを設け、
前記カムが前記凹部に受け入れられている上に、前記係止部が前記突起に引っ掛かることにより、前記加圧部材の離脱を阻止したことを特徴とするコネクタ。
【請求項６】
２種類のコンタクトと、前記コンタクトを保持するハウジングと、接続対象物を前記コンタクトに圧接させるための開閉可能な加圧部材とを有し、
前記コンタクトの各々は上腕部と下腕部とを有し、
前記加圧部材はカムを有し、
前記下腕部は前記接続対象物に接触するための接触部を有し、
前記２種類のうち一方の種類のコンタクトの上腕部は、前記カムの回動を案内するＵ字状端部を有し、
前記Ｕ字状端部は、前記カムを受け入れた凹部を有し、
前記２種類のうち他方の種類のコンタクトの上腕部は、前記加圧部材のストッパーとして働くＴ字状端部を有し、
前記Ｔ字状端部は、直線部と、前記直線部から前記凹部の向きとは反対向きに突出した突起とを有し、
前記加圧部材は、前記Ｔ字状端部に対向した係止部を有し、
前記加圧部材が開の状態及び閉の状態において外力が前記加圧部材に働いたときに、前記凹部の側面を規定する壁部と前記突起との両方が、前記カムの離脱方向の動きを係止し、前記カムが前記コンタクトから外れるのを防止することを特徴とするコネクタ。
【請求項７】
前記加圧部材が開の状態及び閉の状態において外力が前記加圧部材に働いたとき、前記突起に係合することにより前記加圧部材が前記コンタクトから外れるのを防止することを特徴とする請求項６に記載のコネクタ。
【請求項８】
前記接続対象物が未装着の状態において、前記加圧部材は、開の状態にあるとき前記直線部の前記突起から見た一側部分により開方向の動きを係止され、閉の状態にあるとき前記直線部の前記突起から見た他側部分により閉方向の動きを係止されることを特徴とする、請求項６に記載のコネクタ。
【請求項９】
前記加圧部材が開の状態にあるとき及び閉の状態にあるときの各々において前記係止部が前記直線部に突き当ることで、前記加圧部材の開閉を制限する、ことを特徴とする請求項６又は８に記載のコネクタ。
【発明の詳細な説明】
【技術分野】
【０００１】
本発明は、開閉可能な加圧部材を操作することによって接続対象物の接続を得るタイプのコネクタに関する。
【背景技術】
【０００２】
例えば液晶テレビの内部には、ＦＰＣやＦＦＣと呼ばれる平型導体が多用されている。この平型導体のような接続対象物の接続には、開閉可能な加圧部材を備えたコネクタが用いられることがある。この種のコネクタは特許文献１に「平型導体用電気コネクタ」と題して開示されている。
【０００３】
図１２、図１３Ａ、及び図１３Ｂを用いて、特許文献１に開示されているコネクタを簡単に説明する。
【０００４】
図１２から図１３Ｂに示すコネクタは、絶縁性のハウジング１と、ハウジング１に保持された互いに離間する第１及び第２の端子２、３と、第１及び第２の端子２、３に平型導体Ｆを圧接させるための加圧部材４とを含んでいる。加圧部材４は第１及び第２の端子２、３に対応した溝部４ａ、４ｂを有し、これらの溝部４ａ、４ｂに軸部４ｃ、４ｄがそれぞれ形成されている。一方の軸部４ｃは第１の端子２の回動支持部２ａに回動可能に支持される。他方の軸部４ｄは、第２の端子３の二つの規制案内部３ａの間に配置される。こうして、加圧部材４は軸部４ｃ、４ｄを支点として回動操作を可能にされている。
【０００５】
接続に際し、加圧部材開状態で平型導体Ｆをハウジング１の開口部１ａに挿入し、第１及び第２の端子２、３の接触部２ｂ、３ｂに対応するように位置付ける。しかる後に、加圧部材４を操作して加圧部材閉状態を得ることにより、平型導体Ｆを接触部２ｂ、３ｂに圧接させる。
【０００６】
また、加圧部材４を反対向きに操作して加圧部材開状態を得ると、平型導体Ｆをハウジング１の開口部１ａから容易に離脱させることが可能になる。
【先行技術文献】
【特許文献】
【０００７】
【特許文献１】特許第４３９０８２１号公報
【発明の概要】
【発明が解決しようとする課題】
【０００８】
図１２から図１３Ｂのコネクタにおいて、平型導体Ｆをハウジング１の開口部１ａに挿入していない接続対象物未装着時に、加圧部材開状態にすることがある。この状態にあるときに、加圧部材４に負荷が掛かると、加圧部材４が外れてしまうことがある。また、接続対象物未装着時に、加圧部材閉状態にすることもある。この状態にあるときにも、加圧部材４に負荷が掛かると、同様に加圧部材４が外れてしまうことがある。
【０００９】
具体的には、コネクタ検査時などのように接続対象物未装着時に加圧部材４を操作する所謂空操作を行うとき、加圧部材４の中央付近が弓形に撓んで、軸部４ｃが第１の端子２から離脱し、加圧部材４が外れる虞がある。
【００１０】
加圧部材４が外れやすい原因は、第１の端子２の回動支持部２ａのみによって加圧部材４を回動可能に支持し、第２の端子３が加圧部材４の外れ防止になんら寄与していないことにある。
【００１１】
それ故に本発明の課題は、開閉操作される加圧部材の外れ防止効果を高めたコネクタを提供することにある。
【課題を解決するための手段】
【００１２】
本発明の一態様によれば、２種類のコンタクトと、前記コンタクトを保持するハウジングと、接続対象物を前記コンタクトに圧接させるための開閉可能な加圧部材とを有し、前記２種類のコンタクトで前記加圧部材を挟持し、前記コンタクトの各々は上腕部と下腕部とを有し、前記加圧部材はカムと係止部とを有し、前記コンタクトの各々の下腕部は前記接続対象物に接触するための接触部を有し、前記２種類のうち一方の種類のコンタクトの上腕部は、前記カムを受け入れた凹部を有し、前記２種類のうち他方の種類のコンタクトの上腕部は、前記係止部のストッパーとして働く突起を有し、前記他方の種類のコンタクトの上腕部が前記係止部を受けることで、前記カムが前記凹部から外れるのを防止し、前記加圧部材の開の状態及び閉の状態の各々において、外力が前記加圧部材に働いたとき、前記係止部が前記突起に引っ掛かり、前記カムが前記凹部に受け入れられている上に、前記係止部が前記突起に引っ掛かることにより、前記加圧部材の離脱を阻止することを特徴とするコネクタが得られる。
【００１３】
本発明の他の態様によれば、絶縁性のハウジング、前記ハウジングに保持された第１及び第２のコンタクト、及び接続対象物を前記第１及び第２のコンタクトに接触させるための可動な加圧部材を含み、前記２種類のコンタクトで前記加圧部材を挟持し、前記第１及び第２のコンタクトの各々は、前記接続対象物を配置するための配置領域の両側に位置する上腕部及び下腕部を含み、前記加圧部材は、前記第１のコンタクトの上腕部に係合した回動可能なカムと、前記第２のコンタクトの上腕部の端部に対向した係止部とを含み、前記第１及び第２のコンタクトの各々の下腕部は、前記接続対象物に接触するための接触部を含み、前記第１のコンタクトの上腕部の端部に、前記カムを受け入れた凹部を設け、前記第２のコンタクトの上腕部の端部に、前記係止部に対向する直線部と、前記直線部から前記凹部の向きとは反対向きに突出した突起とを設け、前記カムが前記凹部に受け入れられている上に、前記係止部が前記突起に引っ掛かることにより、前記加圧部材の離脱を阻止したことを特徴とするコネクタが得られる。
【００１４】
本発明のさらに他の態様によれば、２種類のコンタクトと、前記コンタクトを保持するハウジングと、接続対象物を前記コンタクトに圧接させるための開閉可能な加圧部材とを有し、前記コンタクトの各々は上腕部と下腕部とを有し、前記加圧部材はカムを有し、前記下腕部は前記接続対象物に接触するための接触部を有し、前記２種類のうち一方の種類のコンタクトの上腕部は、前記カムの回動を案内するＵ字状端部を有し、前記Ｕ字状端部は、前記カムを受け入れた凹部を有し、前記２種類のうち他方の種類のコンタクトの上腕部は、前記加圧部材のストッパーとして働くＴ字状端部を有し、前記Ｔ字状端部は、直線部と、前記直線部から前記凹部の向きとは反対向きに突出した突起とを有し、前記加圧部材は、前記Ｔ字状端部に対向した係止部を有し、前記加圧部材が開の状態及び閉の状態において外力が前記加圧部材に働いたときに、前記凹部の側面を規定する壁部と前記突起との両方が、前記カムの離脱方向の動きを係止し、前記カムが前記コンタクトから外れるのを防止することを特徴とするコネクタが得られる。
【発明の効果】
【００１５】
本発明の上述した態様によると、開閉操作される加圧部材の外れ防止効果を高めたコネクタを提供することができる。
【図面の簡単な説明】
【００１６】
【図１】本発明の一実施形態に係るコネクタの加圧部材開状態の正面側からの斜視図。
【図２】図１のコネクタのＡ部拡大図。
【図３】図１のコネクタに含まれたホールドダウンの斜視図。
【図４】図１のコネクタの加圧部材開状態の背面側からの斜視図。
【図５】図１のコネクタに含まれた加圧部材の斜視図。
【図６Ａ】図５の加圧部材の一部における横断面図。
【図６Ｂ】図５の加圧部材の他部における横断面図。
【図７Ａ】図１のコネクタの加圧部材開状態の一部における横断面図。
【図７Ｂ】図１のコネクタの加圧部材開状態の他部における横断面図。
【図７Ｃ】図１のコネクタの加圧部材開状態において加圧部材が撓んだ状態を示す、図７Ｂと同様な横断面図。
【図８Ａ】図１のコネクタの加圧部材を開状態から閉状態に向けて少し操作した状態における図７Ａと同様な横断面図。
【図８Ｂ】図８Ａの状態における図７Ｂと同様な横断面図。
【図９Ａ】図１のコネクタの加圧部材を図８Ａの状態からさらに閉状態に向けて少し操作した状態における図７Ａと同様な横断面図。
【図９Ｂ】図９Ａの状態における図７Ｂと同様な横断面図。
【図１０Ａ】図１のコネクタの加圧部材閉状態おける図７Ａと同様な横断面図。
【図１０Ｂ】図１０Ａの状態における図７Ｂと同様な横断面図。
【図１０Ｃ】図１のコネクタの加圧部材閉状態において加圧部材が撓んだ状態を示す、図１０Ｂと同様な横断面図。
【図１１Ａ】図１のコネクタに接続対象物を接続した状態における図１０Ａと同様な横断面図。
【図１１Ｂ】図１のコネクタに接続対象物を接続した状態における図１０Ｂと同様な横断面図。
【図１２】特許文献１（特許第４３９０８２１号公報）に開示されているコネクタの斜視図。
【図１３Ａ】図１２のコネクタの一部における横断面図。
【図１３Ｂ】図１２のコネクタの他部部における横断面図。
【発明を実施するための形態】
【００１７】
まず図１から図４を参照して、本発明の実施形態に係るコネクタの全体構造について説明する。
【００１８】
図示のコネクタ１０は例えばプリント基板（図示せず）などに面実装されるのに適したものであり、第１の方向Ａ１に細長くのびた形状を有するハウジング１１を含んでいる。ハウジング１１は、絶縁性の合成樹脂から作られたものである。ハウジング１１の第１の方向Ａ１における両端の各々には金属製のホールドダウン１２が備えられている。ホールドダウン１２は、実装対象となるプリント基板などに半田付けされる半田付け部１２ａを有している。
【００１９】
ハウジング１１には、導電性の端子である多数のコンタクトが第１の方向Ａ１に互いに一定間隔をおいて平行に配設されかつ固定保持されている。これらのコンタクトは、２種のコンタクト、即ち、第１のコンタクト１３と第２のコンタクト１４とを含んでいる。本実施形態では、第１のコンタクト１３の２本と第２のコンタクトの１本とを第１の方向Ａ１に交互に並べた配列形態を採っているが、これに限らず、他の様々な配列形態を採ることもできる。
【００２０】
図示のコネクタ１０は、後文にて詳述するように、さらに、第１のコンタクト１３と第２のコンタクト１４とを利用して開閉操作可能に備えられたアクチュエータとも呼ばれることのある加圧部材１５を含んでいる。加圧部材１５はハウジング１１に沿って第１の方向Ａ１に直線的にのびている。なお、図１及び図４は加圧部材１５の開状態を示している。
【００２１】
図５と共に図６Ａ及び図６Ｂをも参照して、加圧部材１５について説明する。
【００２２】
加圧部材１５はナイロン系プラスチックなどの可撓材料より作られた細長い板状のものであり、したがって第１の方向Ａ１に対して少し撓み得る。特に、加圧部材１５が板厚方向に撓みやすいことは容易に理解されるであろう。また、加圧部材１５は板幅方向にも多少の撓みを許容するものである。
【００２３】
加圧部材１５は第１のコンタクト１３と第２のコンタクト１４とに一対一で対応した第１の溝部１５ａ（図６Ａ）と第２の溝部１５ｂ（図６Ｂ）とを有している。即ち、図６Ａは第１の溝部１５ａの部分で切断した断面図であり、図６Ｂは第２の溝部１５ｂの部分で切断した断面図である。加圧部材１５は、第１の溝部１５ａに設けた軸部となるカム１５ｃと、第２の溝部１５ｂに設けた係止部１５ｄと、を有している。
【００２４】
カム１５ｃは、断面楕円形にほぼ沿った断面形状をもち、第１の溝部１５ａの中間に配置されかつ第１の溝部１５ａを規定する対向壁面に両端を一体形成されている。係止部１５ｄは、第２の溝部１５ｂの底面から突出しかつ第２の溝部１５ｂを規定する対向壁面に一体形成されている。なお、カム１５ｃ及び係止部１５ｄの形状及び寸法は、後述するコネクタの動作説明により明らかになる。
【００２５】
図７Ａ及び図７Ｂをも参照して、コネクタ１０の全体構造の説明を続ける。図７Ａ及び図７Ｂは接続対象物が未装着でかつ加圧部材１５の開状態を示す。
【００２６】
ハウジング１１は、接続対象物を挿入するための、第１の方向Ａ１に直交する第２の方向Ａ２で前端（図では左端）の挿入口１１ａ、及び挿入口１１ａに引き続く配置領域１１ｂを有している。後で詳述するように、接続対象物は、その端部が挿入口１１ａを通して配置領域１１ｂに配置された状態で、加圧部材１５を操作して閉状態になすことにより、コネクタ１０に接続される。
【００２７】
第１のコンタクト１３は、図７Ａに示すように、ハウジング１１に固定された固定部１３ａと、固定部１３ａから第２の方向Ａ２で前方（図では左方）にのびて配置領域１１ｂの上下両側に位置する上腕部１３ｂ及び下腕部１３ｃを有している。上腕部１３ｂ及び下腕部１３ｃの前端は自由端とされている。
【００２８】
第１のコンタクト１３の上腕部１３ｂの端部、即ち、自由端の近傍部分には、加圧部材１５のカム１５ｃの回動を案内する回動案内端部（以下「Ｕ字状端部」という）１６が設けられている。Ｕ字状端部１６はカム１５ｃを回動可能に受け入れた、第１及び第２の方向Ａ１、Ａ２に直交する第３の方向Ａ３で下向きの凹部１６ａを有している。
【００２９】
第１のコンタクト１３の下腕部１３ｃの端部、即ち、自由端の近傍部分には、接続対象物と電気的接触を得るための接触部１３ｄが形成されている。接触部１３ｄは、凹部１６ａにほぼ対向する位置において上方に向けて少し突出した形状を有している。
【００３０】
第２のコンタクト１４は、図７Ｂに示すように、ハウジング１１に固定された固定部１４ａと、固定部１４ａから第２の方向Ａ２で前方（図では左方）にのびて配置領域１１ｂの上下両側に位置する上腕部１４ｂ及び下腕部１４ｃを有している。上腕部１４ｂ及び下腕部１４ｃの前端は自由端とされている。
【００３１】
第２のコンタクト１４の上腕部１４ｂの端部、即ち、自由端の近傍部分には、加圧部材１５のストッパーとして働くストッパー端部（以下「Ｔ字状端部」という）１７が形成されている。Ｔ字状端部１７は係止部１５ｄに対向する位置に設けられた直線部１７ａと、直線部１７ａから、凹部１６ａの向きとは反対向き、即ち、第３の方向Ａ３で上向に突出した突起１７ｂとを有している。
【００３２】
図７Ａ及び図７Ｂに示す状態では、加圧部材１５の係止部１５ｄが第２のコンタクト１４の直線部１７ａの突起１７ｂから見た一側、具体的には、固定部１４ａ側で直線部１７ａに当接している。こうして、加圧部材１５は第２のコンタクト１４により開方向への動きを係止される。
【００３３】
今、図７Ａ及び図７Ｂに示すように接続対象物が未装着でかつ加圧部材１５が開状態にあるときに、加圧部材１５に第２の方向Ａ２で前方への外力が働いたと仮定する。この場合、加圧部材１５は可撓材料より作られているので、第１の方向Ａ１（図１参照）における中間部が弓形に撓みつつ、第２の方向Ａ２における前方へ動く。しかし、Ｕ字状端部１６の凹部１６ａの側面を規定する壁部１６ｂにカム１５ｃが係合することに加え、図７Ｃに示すように、加圧部材１５の係止部１５ｄがＴ字状端部１７の突起１７ｂに係合することになるので、加圧部材１５が第１及び第２のコンタクト１３、１４から離脱することは防止される。このように、凹部１６ａの側面を規定する壁部１６ｂと突起１７ｂとの両方によって、カム１５ｃが第１のコンタクト１３から外れるのを防止する。したがって、図７Ａ及び図７Ｂに示す状態にあるときにも、加圧部材１５の離脱がより確実に阻止される。
【００３４】
加圧部材１５を図８Ａ及び図８Ｂに示す位置まで図中で反時計回りに回動させると、加圧部材１５の係止部１５ｄが第２のコンタクト１４の上腕部１４ｂから離間する。加圧部材１５を図９Ａ及び図９Ｂに示す位置まで図中で反時計回りにさらに回動させると、加圧部材１５の係止部１５ｄが第２のコンタクト１４の突起１７ｂの上方を通過する。
【００３５】
加圧部材１５を図１０Ａ及び図１０Ｂに示す位置まで図中で反時計回りにさらに回動させると、加圧部材１５の係止部１５ｄが第２のコンタクト１４の突起１７ｂの反対側、即ち、上腕部１４ｂの自由端側で直線部１７ａに当接する。したがって、加圧部材１５は第２のコンタクト１４により閉方向への動きを係止される。
【００３６】
今、図１０Ａ及び図１０Ｂに示すように接続対象物が未装着でかつ加圧部材１５が閉状態にあるときに、加圧部材１５に第２の方向Ａ２で後方への外力が働いたと仮定する。この場合、加圧部材１５は可撓材料より作られているので、第１の方向Ａ１（図１参照）における中間部が弓形に撓みつつ、第２の方向Ａ２における後方へ動く。しかし、Ｕ字状端部１６の凹部１６ａの側面を規定する壁部１６ｃにカム１５ｃが係合することに加え、図１０Ｃに示すように、加圧部材１５の係止部１５ｄがＴ字状端部１７の突起１７ｂに係合することになるので、加圧部材１５が第１及び第２のコンタクト１３、１４から離脱することは防止される。このように、凹部１６ａの側面を規定する壁部１６ｃと突起１７ｂとの両方によって、カム１５ｃが第１のコンタクト１３から外れるのを防止する。したがって、図１０Ａ及び図１０Ｂに示す状態にあるときに加圧部材１５の離脱がより確実に阻止される。
【００３７】
上述したように、コネクタ１０は２種類のコンタクトで加圧部材１５を挟持すると共に、加圧部材１５に負荷が掛った際に、加圧部材１５が弓形に撓んでコンタクトから外れることを防止するストッパー構造を有している。したがって、接続対象物未挿入時において加圧部材１５の操作によるコンタクトからの加圧部材１５の外れや加圧部材１５に負荷を掛けた際のコンタクトからの加圧部材１５の外れを防ぐことができる。このため、例えばコネクタ検査時などに加圧部材１５を接続対象物の未装着状態で開閉する所謂空操作が行われても、加圧部材１５の離脱が生じる虞は少ない。
【００３８】
図１１Ａ及び図１１Ｂに、コネクタ１０にＦＰＣやＦＦＣと呼ばれる平型導体よりなる接続対象物１８を接続した状態を示す。このとき、加圧部材１５は閉状態にある。
【００３９】
図１１Ａに示すように、加圧部材１５のカム１５ｃが第１のコンタクト１３の上腕部１３ｂを持ち上げるのに伴い、その反力により加圧部材１５が接続対象物１８を下方に押圧する。したがって、接続対象物１８の下面の第１の接点部１８ａが第１のコンタクト１３の接触部１３ｄに圧接される。
【００４０】
また図１１Ｂに示すように、加圧部材１５によって下方に押圧された接続対象物１８の下面の第２の接点部１８ｂは第２のコンタクト１４の接触部１４ｄにも圧接される。こうして、接続対象物１８は第１及び第２のコンタクト１３、１４に電気的に接続される。なお、この状態においては、加圧部材１５の係止部１５ｄは第２のコンタクト１４の上腕部１４ｂから離間する。
【００４１】
なお、本発明は上記実施形態に限られることはなく、またその一部又は全部は以下の付記のようにも記載され得るがそれらには限られない。
【００４２】
（付記１）
２種類のコンタクト１３、１４と、前記コンタクトを保持するハウジング１１と、接続対象物を前記コンタクトに圧接させるための開閉可能な加圧部材１５とを有し、
前記コンタクトの各々は上腕部１３ｂ、１４ｂと下腕部１３ｃ、１４ｃとを有し、
前記加圧部材はカム１５ｃと係止部１５ｄとを有し、
前記コンタクトの各々の下腕部１３ｃ、１４ｃは前記接続対象物に接触するための接触部１３ｄ、１４ｄを有し、
前記２種類のうち一方の種類のコンタクトの上腕部１３ｂは前記カムの一側に延在し、かつ、前記カムを受け入れた凹部１６ａを有し、
前記２種類のうち他方の種類のコンタクトの上腕部１４ｂは、前記係止部のストッパーとして働く突起１７ｂを有することを特徴とするコネクタ。
【００４３】
（付記２）
前記加圧部材が開の状態及び閉の状態において外力が前記加圧部材に働いたときに、前記凹部と前記突起との両方が前記加圧部材を係止することを特徴とする、付記１に記載のコネクタ。
【００４４】
（付記３）
他方の種類のコンタクトの上腕部は直線部１７ａを有し、前記突起は、前記直線部から前記凹部の向きとは反対向きに突出しており、前記直線部と前記突起との両方で、前記カムが前記凹部からの外れを防止することを特徴とする、付記２に記載のコネクタ。
【００４５】
（付記４）
前記加圧部材が開の状態にあるとき及び閉の状態にあるときの各々において外力が前記加圧部材に働いたとき、前記係止部が前記突起に係合することにより前記加圧部材が前記コンタクトからの外れを防止することを特徴とする付記３に記載のコネクタ。
【００４６】
（付記５）
前記接続対象物が未装着の状態において、前記加圧部材は、開の状態にあるとき前記直線部の前記突起から見た一側部分により開方向の動きを係止され、閉の状態にあるとき前記直線部の前記突起から見た他側部分により閉方向の動きを係止されることを特徴とする、付記３に記載のコネクタ。
【００４７】
（付記６）
前記加圧部材が開の状態にあるとき及び閉の状態にあるときの各々において前記係止部が前記直線部に突き当ることで、前記加圧部材の開閉を制限する、ことを特徴とする付記３又は５に記載のコネクタ。
【００４８】
（付記７）
絶縁性のハウジング１１、前記ハウジングに保持された第１及び第２のコンタクト１３、１４、及び接続対象物１８を前記第１及び第２のコンタクトに接触させるための可動な加圧部材１５を含み、
前記第１及び第２のコンタクトの各々は、前記接続対象物を配置するための配置領域１１ｂの両側に位置する上腕部１３ｂ、１４ｂ及び下腕部１３ｃ、１４ｃを含み、
前記加圧部材は、前記第１のコンタクトの上腕部１３ｂに係合した回動可能なカム１５ｃを含み、
前記第１及び第２のコンタクトの各々の下腕部１３ｃ、１４ｃは、前記接続対象物に接触するための接触部１３ｄ、１４ｄを含み、
前記第１のコンタクトの上腕部１３ｂの端部に、前記カムを受け入れた凹部１６ａを有するＵ字状端部１６を設け、
前記第２のコンタクトの上腕部１４ｂの端部に、前記凹部の向きとは反対向きに突出した突起１７ｂを設け、
前記凹部と前記突起とで前記加圧部材の離脱を阻止したことを特徴とするコネクタ。
【００４９】
（付記８）
前記加圧部材は、さらに、前記第２のコンタクトの上腕部１４ｂの端部に対向した係止部１５ｄを含み、前記第２のコンタクトの上腕部１４ｂの端部に、さらに、直線部１７ａを設け、前記突起と前記直線部とでＴ字状端部１７を形成し、前記加圧部材は、さらに、前記Ｔ字状端部に対向した係止部１５ｄを含む、付記７に記載のコネクタ。
【００５０】
（付記９）
２種類のコンタクト１３、１４と、前記コンタクトを保持するハウジング１１と、接続対象物１８を前記コンタクトに圧接させるための開閉可能な加圧部材１５とを有し、
前記コンタクトの各々は上腕部１３ｂ、１４ｂと下腕部１３ｃ、１４ｃとを有し、
前記加圧部材はカム１５ｃを有し、
前記下腕部は前記接続対象物に接触するための接触部１３ｄ、１４ｄを有し、
前記２種類のうち一方の種類のコンタクト１３の上腕部１３ｂは、前記カムの回動を案内するＵ字状端部１６を有し、
前記２種類のうち他方の種類のコンタクト１４の上腕部１４ｂは、前記加圧部材のストッパーとして働くＴ字状端部１７を有し、
前記加圧部材は、前記Ｔ字状端部に対向した係止部１５ｄを有することを特徴とするコネクタ。
【００５１】
（付記１０）
前記加圧部材が開の状態において外力が前記加圧部材に働いたときに、前記Ｕ字状端部と前記Ｔ字状端部との両方が前記カムの離脱方向の動きを係止することを特徴とする、付記９に記載のコネクタ。
【００５２】
（付記１１）
前記Ｕ字状端部は、前記カムを受け入れた凹部１６ａを有し、前記Ｔ字状端部は、直線部１７ａと、前記直線部から前記凹部の向きとは反対向きに突出した突起１７ｂを有し、前記凹部の側面を規定する壁部１６ｂ、１６ｃと前記突起との両方で、前記カムが前記コンタクトから外れるのを防止することを特徴とする、付記１０に記載のコネクタ。
【００５３】
（付記１２）
前記加圧部材が開の状態及び閉の状態において外力が前記加圧部材に働いたとき、前記突起に係合することにより前記加圧部材が前記コンタクトから外れるのを防止することを特徴とする付記１１に記載のコネクタ。
【００５４】
（付記１３）
前記接続対象物が未装着の状態において、前記加圧部材は、開の状態にあるとき前記直線部の前記突起から見た一側部分により開方向の動きを係止され、閉の状態にあるとき前記直線部の前記突起から見た他側部分により閉方向の動きを係止されることを特徴とする、付記１１に記載のコネクタ。
【００５５】
（付記１４）
前記加圧部材は、さらに、前記Ｔ字状端部に対向した係止部１５ｄを有し、前記加圧部材が開の状態にあるときに及び閉の状態にあるときの各々において前記係止部が前記直線部に突き当ることで、前記加圧部材の開閉を制限する、ことを特徴とする付記１１又は１３に記載のコネクタ。
【符号の説明】
【００５６】
１  ハウジング
１ａ  開口部
２  第１の端子
２ａ  回動支持部
２ｂ  接触部
３  第２の端子
３ａ  規制案内部
３ｂ  接触部
４  加圧部材
４ａ、４ｂ  溝部
４ｃ、４ｄ  軸部
１０  コネクタ
１１  ハウジング
１１ａ  挿入口
１１ｂ  配置領域
１２  ホールドダウン
１２ａ  半田付け部
１３  第１のコンタクト
１３ａ  固定部
１３ｂ  上腕部
１３ｃ  下腕部
１３ｄ  接触部
１４  第２のコンタクト
１４ａ  固定部
１４ｂ  上腕部
１４ｃ  下腕部
１４ｄ  接触部
１５  加圧部材
１５ａ  第１の溝部
１５ｂ  第２の溝部
１５ｃ  カム
１５ｄ  係止部
１６  回動案内端部（Ｕ字状端部）
１６ａ  凹部
１６ｂ  壁部
１７  ストッパー端部（Ｔ字状端部）
１７ａ  直線部
１７ｂ  突起
１８  接続対象物
１８ａ  第１の接点部
１８ｂ  第２の接点部
Ａ１  第１の方向
Ａ２  第２の方向
Ａ３  第３の方向
【図１】
0005801094.tif 000002
【図２】
0005801094.tif 000003
【図３】
0005801094.tif 000004
【図４】
0005801094.tif 000005
【図５】
0005801094.tif 000006
【図６Ａ】
0005801094.tif 000007
【図６Ｂ】
0005801094.tif 000008
【図７Ａ】
0005801094.tif 000009
【図７Ｂ】
0005801094.tif 000010
【図７Ｃ】
0005801094.tif 000011
【図８Ａ】
0005801094.tif 000012
【図８Ｂ】
0005801094.tif 000013
【図９Ａ】
0005801094.tif 000014
【図９Ｂ】
0005801094.tif 000015
【図１０Ａ】
0005801094.tif 000016
【図１０Ｂ】
0005801094.tif 000017
【図１０Ｃ】
0005801094.tif 000018
【図１１Ａ】
0005801094.tif 000019
【図１１Ｂ】
0005801094.tif 000020
【図１２】
0005801094.tif 000021
【図１３Ａ】
0005801094.tif 000022
【図１３Ｂ】
0005801094.tif 000023